(57)【要約】【課題】堅牢で安価なブック型携帯品を、機械や道具を用いることなく、手作業で簡単に製造できる方法を提供する。【解決手段】厚紙からなる一対の表紙材７，８と背表紙材９を覆うためのカバーシート１の裏面に、粘着剤２とこれを覆う裏当て材３とを付着させ、裏当て材３には表紙材７，８と背表紙材９とを貼り付けるべき貼り付け部分３ａ〜３ｃのみを手で剥がせるように切り目４Ａ〜４Ｆを形成し、裏当て材３の貼り付け部分３ａ〜３ｃをカバーシート１から剥がして、その部分に表紙材７，８および背表紙材９を貼り付け、裏当て材３の他の部分を剥がして、カバーシート１の周縁部を表紙材７，８および背表紙材９の内面に折り重ねて貼り付けることにより、開閉自在なブック型携帯品２２，２４におけるカバー１１を製造する。【選択図】図２
2010099908.tif 000002
【特許請求の範囲】
【請求項１】
厚紙からなる一対の表紙材とその間の背表紙材とを有する開閉自在なブック型携帯品を製造する方法であって、
前記一対の表紙材および前記背表紙材を覆うためのカバーシートの裏面に、粘着剤とこれを覆う裏当て材とを付着させ、
前記裏当て材には前記表紙材と背表紙材とを貼り付けるべき貼り付け部分のみを手で剥がせるように切り目が形成されており、
前記貼り付け部分を前記カバーシートから剥がして、その部分に前記表紙材および背表紙材を貼り付け、
前記裏当て材の他の部分を剥がして、前記カバーシートの周縁部を前記表紙材および背表紙材の内面に折り重ねて貼り付ける、
ブック型携帯品の製造方法。
【請求項２】
厚紙からなる一対の表紙材とその間の背表紙材とを有する開閉自在なブック型携帯品を製造する方法であって、
前記一対の表紙材および前記背表紙材を覆うためのカバーシートの裏面に、粘着剤とこれを覆う裏当て材とを付着させ、
前記表紙材および背表紙材の寸法に合致した貫通部を有する型枠を用意し、
前記カバーシートと型枠との相対位置を決める加工台を用意し、
前記加工台に、前記裏当て材が剥がされた前記カバーシートを、その裏面を上にして載置し、
つづいて、前記カバーの裏面の上に前記粘着剤に粘着しない前記型枠を載置して、前記貫通部を貫通させて前記表紙材および背表紙材を前記裏面に貼り付け、
前記カバーの周縁部を前記表紙材および背表紙材の内面に折り重ねて貼り付ける、
ブック型携帯品の製造方法。
【請求項３】
請求項２において、前記加工台に、前記型枠およびカバーシートのそれぞれの隣接する２辺を当接させることにより前記型枠とカバーシートの相対位置を決める規制突起を設ける、
ブック型携帯品の製造方法。
【請求項４】
請求項１，２または３において、さらに、前記表紙材の内面に内容物を貼り付ける、
ブック型携帯品の製造方法。
【発明の詳細な説明】
【技術分野】
【０００１】
本発明は、衣服のポケットやハンドバックに入れて常時携帯できる、例えばミニ絵本や小型のコンパクト（ミラー付き携帯用化粧用具）などのブック型携帯品を安価に製造する方法に関するものである。
【背景技術】
【０００２】
ミニ絵本や小型コンパクトのようなブック型携帯品は、開くことにより、内容物を読んだり、使用したりでき、閉じることにより内容物をカバーで挟んで保護できることから、ポケットなどに入れて常時携帯する携帯品として、好ましい形態を有したものであり、従来から種々のものが市販されている。
【発明の開示】
【発明が解決しようとする課題】
【０００３】
前記ブック型携帯品は、常時携帯して手軽に使用できることを目的とした簡易な小型商品であることから、安価でありながら、長期間の使用にも耐えることができる堅牢なものが望まれている。
【０００４】
本発明は、堅牢で安価なブック型携帯品を、機械や道具を用いることなく、手作業で安価に製造できる方法を提供することを目的としている。
【課題を解決するための手段】
【０００５】
上記目的を達成するために、本発明の一構成に係るブック型携帯品の製造方法は、厚紙からなる一対の表紙材とその間の背表紙材とを有する開閉自在なブック型携帯品を製造する方法であって、前記一対の表紙材および前記背表紙材を覆うためのカバーシートの裏面に、粘着剤とこれを覆う裏当て材とを付着させ、前記裏当て材には前記表紙材と背表紙材とを貼り付けるべき貼り付け部分のみを手で剥がせるように切り目が形成されており、前記貼り付け部分を前記カバーシートから剥がして、その部分に前記表紙材および背表紙材を貼り付け、前記裏当て材の他の部分を剥がして、前記カバーシートの周縁部を前記表紙材および背表紙材の内面に折り重ねて貼り付ける。
【０００６】
このブック型携帯品の製造方法によれば、カバーシートに粘着剤で付着された裏当て材の貼り付け部分のみを手で剥がして粘着剤を露出させ、この部分に、一対の表紙材と背表紙材を押し付けることにより、一対の表紙材と背表紙材がカバーシートの所定箇所に正確な位置決め状態で粘着剤により貼り付けられる。つづいて、裏当て材の他の部分を剥がしてカバーシートの周縁部に付着している粘着剤を露出させたのち、そのカバーシートの周縁部を、表紙材および背表紙材の内面に折り重ねることにより、粘着剤で貼り付けて、ブック型携帯品におけるカバーが出来上がる。この製造方法では、機械や特別な道具を一切用いることなく、簡単な手作業のみで製造できるので、例えば一般家庭の内職仕事でもブック型携帯品を容易に作ることができる。しかも、表紙材および背表紙材として安価で固い厚紙を用いることから、材料コストを低く抑えながらも堅牢なものとなる。
【０００７】
本発明の他の構成に係るブック型携帯品の製造方法は、厚紙からなる一対の表紙材とその間の背表紙材とを有する開閉自在なブック型携帯品を製造する方法であって、前記一対の表紙材と前記背表紙材を覆うためのカバーシートの裏面に、粘着剤とこれを覆う裏当て材とを付着させ、前記表紙材および背表紙材の寸法に合致した貫通部を有する型枠を用意し、前記カバーシートと型枠との相対位置を決める加工台を用意し、前記加工台に、前記裏当て材が剥がされた前記カバーシートを、その裏面を上にして載置し、つづいて、前記カバーシートの裏面の上に前記粘着剤に粘着しない前記型枠を載置して、前記貫通部を貫通させて前記表紙材および背表紙材を前記裏面に貼り付け、前記カバーシートの周縁部を前記表紙材および背表紙材の内面に折り重ねて貼り付ける。
【０００８】
このブック型携帯品の製造方法によれば、裏当て材を剥がして裏面全体に付着された粘着材を露出させたカバーシートを、その裏面を上にして加工台に載置したのち、このカバーシートの裏面の上に型枠を載置すると、型枠に形成された、一対の表紙材および背表紙材の寸法に合致した貫通部が、加工台によってカバーシートに対し所定の相対位置に位置決めされる。この状態で、一対の表紙材と背表紙材とを、型枠の貫通部に貫通させてカバーシートの裏面に押し付けると、一対の表紙材と背表紙材とが、カバーシートの所定箇所に正確な位置決め状態で粘着剤により貼り付けられる。つづいて、型枠をカバーシートから取り除いたのち、カバーシートの周縁部を、表紙材および背表紙材の内面に折り重ねることにより粘着剤で貼り付けて、カバーシートの裏面に一対の表紙材と背表紙材とが貼り付けられたブック型携帯品におけるカバーが出来上がる。  
【０００９】
この製造方法においても、加工台と型枠を一組用意しておくだけで、その他に機械や特別な道具を一切用いることなく、簡単な手作業のみで製造できるので、例えば一般家庭の内職仕事で容易にブック型携帯品を作ることができる。しかも、表紙材および背表紙材として安価で固い厚紙を用いることから、材料コストを低く抑えながらも堅牢なものとなる。特に、この製造方法では、裏当て材に切り目を形成する工程が不要となる分だけ製造コストを更に低減できるとともに、切り目を機械加工で形成する場合に生じ易いカバーシートを損傷するおそれがなくなる。
【００１０】
本発明の他の構成に係るブック型携帯品の製造方法において、前記加工台に、前記型枠およびカバーシートのそれぞれの隣接する２辺を当接させることにより前記型枠とカバーシートの相対位置を決める規制突起を設けることが好ましい。これにより、カバーシートおよび型枠の隣接する２辺を規制突起に当接させるだけで、カバーシートと型枠の相対位置を容易を作業で正確に決めることができる。
【００１１】
本発明において、さらに、前記表紙材の内面に内容物を貼り付ければ、厚紙を用いた堅牢な一対の表紙材および背表紙材で内容物を覆って保護できるブック型携帯品を得ることができる。
【発明の効果】
【００１２】
本発明のブック型携帯品の製造方法によれば、厚紙からなる一対の表紙材および背表紙材を有する堅牢なカバーを持つブック型携帯品を、機械や特別な道具を一切用いることなく、簡単な手作業のみで安価に製造することができる。
【発明を実施するための最良の形態】
【００１３】
以下、本発明の好ましい実施形態について図面を参照しながら詳述する。
図１ないし図４は、本発明の第１実施形態に係るブック型携帯品の製造方法を工程順に示したものである。先ず、図１（ａ）に示すように、長方形の四つの角部を三角形に除去した形状の紙または樹脂製のカバーシート１の裏面全体に粘着剤２を付着させるとともに、粘着剤２に粘着しない非粘着性素材からなりカバーシート１と同一形状に形成した裏当て材３により、粘着剤２の全体を覆い、容易に取り扱える状態とする。なお、カバーシート１および裏当て材３は共に厚さが１ｍｍ未満の薄いものであって、いずれも厚みの図示が困難なものであるが、裏当て材３については、これの後述する機能を明確に図示する便宜上、誇張した大きな厚さに図示してある。
【００１４】
裏当て材３には、後述する一対の表紙材および背表紙材を貼り付ける部分のみを手で剥がせるように、長辺と平行な２本の切り目４Ａ，４Ｂと、中央部分で短辺と平行な４本の切り目４Ｃ〜４Ｆとを形成する。これら切り目４Ａ〜４Ｆは連続したものでもよいし、破線状でもよい。裏当て材３におけるそれぞれ３本の切り目４Ａ〜４Ｃと、４Ａ，４Ｂ，４Ｆとで囲まれた長方形の部分は、一対の表紙材を貼り付けるべき貼り付け部分３ａ，３ｂであり、４本の切り目４Ａ，４Ｂ，４Ｄ，４Ｅで囲まれた短冊状の部分は背表紙材を貼り付けるべき貼り付け部分３ｃである。裏当て材３における三つの貼り付け部分３ａ〜３ｃのみを手で剥がす。これにより、図１（ｂ）に示すように、カバーシート１における一対の表紙材を貼り付けるべき表紙取付け部分１ａ，１ｂおよび背表紙材を貼り付けるべき背表紙取付け部分１ｃにそれぞれ付着された粘着剤２が露出する。
【００１５】
つぎに、図２（ａ）に示すように、厚紙からなる一対の表紙材７，８をカバーシート１の二つの表紙取付け部分１ａ，１ｂの粘着剤２に押し付け、一方、厚紙からなる背表紙材９を、短冊状の背表紙取付け部分１ｃの粘着剤２に押し付ける。図１（ｂ）に示す表紙取付け部分１ａ，１ｂは同一の横寸法Ｗ１および縦寸法Ｈ１を有し、図２（ａ）の表紙材７，８も同一の横寸法Ｗ２および縦寸法Ｈ２を有しており、Ｗ１＞Ｗ２、Ｈ１≒Ｈ２に設定されている。表紙材７，８の素材としては、厚さ１〜３ｍｍ、好ましくは１．２〜２．５ｍｍのボール紙が使用される。
【００１６】
そこで、表紙材７，８の貼り付けにあたっては、一対の表紙材７，８の側縁を、裏当て材３の残存部分３０の縁に合わせるようにして、位置決めする。すなわち、表紙材７の上、下側縁７ａ，７ｂと内側縁７ｃとを、表紙取付け部分１ａを形成する残存部分３０の左側の上、下縁３０ａ，３０ｂおよび内縁３０ｃ（図１（ｂ）にそれぞれ合わせ、表紙材８の上、下側縁８ａ，８ｂと内側縁８ｃとを、表紙取付け部分１ｂを形成する残存部分３０の右側の上、下縁３０ｄ，３０ｅと内縁３０ｆ（図１（ｂ））とにそれぞれ合わせる。
【００１７】
図１（ｂ）の背表紙取付け部分１ｃと図２（ａ）の背表紙材９は、ほぼ同一の横寸法Ｗ３，Ｗ４および縦寸法Ｈ１，Ｈ２を有している（Ｗ３≒Ｗ４、Ｈ１≒Ｈ１）。したがって、背表紙材９は裏当て材３の残存部分３０で囲まれた背表紙取付け部分１ａに嵌め込んで貼り付ける。これにより、一対の表紙材７，８および背表紙材９は、裏当て材３の残存部分３０をガイドとしてカバーシート１の所定箇所に正確に位置決めされた状態で粘着剤２により貼り付けられる。つづいて、図２（ｂ）に示すように、裏当て材３の残存部分３０を全て手で剥がしたのち、カバーシート１の両側の長辺に沿った二つの縁部１ｄ，１ｅを表紙材７，８および背表紙材９の内面に折り重ねることにより、粘着材２で貼り付ける。      
【００１８】
最後に、図３（ａ）に示すように、カバーシート１の短辺に沿った二つの縁部１ｆ，１ｇを表紙材７，８および背表紙材９の裏面（図の上面）に折り重ねることにより、粘着材２で貼り付けたのち、補強紙１０を中央部分に粘着剤で貼り付けると、表紙材７，８がそれぞれカバーシート１に貼り付けられてなる一対の表紙１２，１３と、その間の背表紙材９がカバーシート１に貼り付けられてなる背表紙１４とを有するカバー１１が出来上がる。補強紙１０は、ブック型携帯品として使用するときの開閉時に屈曲される、図２（ｂ）のカバーシート１における背表紙１４とこれの両側の表紙１２，１３との間の部分を補強するとともに、カバーシート１に付着されて背表紙１４とこれの両側の表紙１２，１３との間に露出している粘着剤２を隠蔽するよう機能する。このカバー１１の半開きの状態を斜め上方から見た図を、図３（ｂ）に示す。
【００１９】
この第１実施形態の製造方法では、裏当て材３を手で剥がす作業と、表紙材７，８および背表紙材９を粘着剤２に押し付けてカバーシート１に貼り付ける作業と、カバーシート１の周縁部を折り曲げて表紙材７，８および背表紙材９に貼り付ける作業とを行うことで、カバー１１を作ることができる。すなわち、粘着剤２を予めカバーシート１の裏面に付着しておけば、その後の工程では、機械や特別な道具を一切用いることなく、簡単な手作業のみでカバー１１を製造できる。したがって、内職仕事でも容易に作ることができるので、安価なカバー１１を得ることができる。しかも、このカバー１１は、表紙材７，８および背表紙材９として安価で固い厚紙を用いることから、材料コストを低く抑えながらも堅牢なものとなる。
【００２０】
図４に示すように、上述のような工程を経て出来上がったカバー１１の一方の表紙１２の内面に、ミラー１７を内部に保持したミラー保持体１８を、例えば両面テープで貼り付け、他方の表紙１３の内面に、パフを収容するための凹所１９とファンデーションを収容するための凹所１９とが形成された収容体２１を、例えば両面テープで貼り付けると、ブック型携帯品の一種である小型コンパクト２２が出来上がる。ミラー保持体１８および収容体２１は、例えば、スチレンまたはウレタンで製作した本体部分の表面にタック紙からなる装飾用シートを貼り付けて製作する。タック紙からなる装飾用シートは、糊などを用いることなく能率的に表紙１２，１３に貼り付けることができる。
【００２１】
カバー１１に貼り付けられる内容物である前記ミラー保持体１８および収容体２１のそれぞれの厚みは、背表紙１４の幅Ｗ５の半分に設定する。これにより、ミラー保持体１８および収容体２１は、両表紙１２，１３を閉じたときに各々の表面が互いに密着状態に重ね合わされて背表紙１４の幅と同じ厚みに合体され、小型コンパクト２２が正確な直方体となる。この小型コンパクトは、上述のように安価に製造できるカバー１１にミラー保持体１８および収容体２１を両面テープで貼り付けるだけで製作できるので、やはり安価なものになる。また、厚紙からなる表紙１２，１３および背表紙１４を使用しているから、堅牢であり、内容物であるミラー保持体１８および収容体２１を十分保護できるので、長期間にわたり使用することができる。
【００２２】
また、図５に示すように、カバー１１の一対の表紙１２，１３の各内面に、所要枚数からなる絵本内容物２３の１番目の頁２３ａと最終頁２３ｂの各々の外面を両面テープで貼り付けると、ブック型携帯品の一種である幼児向けのミニ絵本２４が出来上がる。絵本内容物２３の厚みは背表紙１４の幅とほぼ同一に設定する。このミニ絵本２４も、上述の小型コンパクト２２と同様に、安価に製造できるとともに堅牢であり、絵本内容物２３を十分に保護できるので、長期間にわたり使用することができる。
【００２３】
図６ないし図９は、本発明の第２実施形態に係るブック型携帯品の製造方法を工程順に示したものである。先ず、図６に示すように、第１実施形態と同一形状のカバーシート１の裏面全体に粘着剤２を付着するとともに、粘着剤２に粘着しない非粘着性素材からなりカバーシート１と同一形状に形成した裏当て材３により、粘着剤２の全体を覆う。ただし、裏当て材３には、第１実施形態に設けた切り目４Ａ〜４Ｆを形成しない。ブック型携帯品の製造に際しては、裏当て材３を手で剥がして、カバーシート１の裏面全体に付着した粘着材２を露出させる。つぎに、図７に示すように、裏当て材３を剥がしたカバーシート１を、粘着剤３が付着された裏面を上にして加工台２７上に載置したのち、カバーシート１の隣接する長辺および短辺を、加工台２７上に互いに直交した配置で固定された二つの規制突起２８，２９の側面２８ａ，２９ａに当接させる。
【００２４】
つづいて、図８に示すように、長方形状の平板の所定箇所に第１実施形態で示した一対の表紙材７，８および背表紙材９のそれぞれの外形寸法に合致した長方形状の三つの貫通孔３１〜３３が形成された型枠２６を、これの隣接する長辺および短辺を二つの規制突起２８，２９に当接させる配置でカバーシート１上に載置する。型枠２６は、粘着剤２に粘着しない裏当て材３と同一の非粘着性素材で形成されている。加工台２７は、カバーシート１と型枠２６のそれぞれの隣接する２辺を規制突起２８，２９に当接させることにより、カバーシート１と型枠２６との相対位置を決めるものである。すなわち、加工台２７は、型枠２６の三つの貫通孔３１，３２，３３がカバーシート１における一対の表紙材７，８を貼り付ける表紙取付け部分１ａ，１ｂおよび背表紙材９を貼り付ける背表紙取付け部分１ｃにそれぞれ位置するようにカバーシート１と型枠２６との相対位置を決める。
【００２５】
上述のようにカバーシート１と型枠２６との相対位置を決めた状態で、図９に示すように、一対の表紙材７，８および背表紙材９を対応する貫通孔３１，３２，３３に貫通させて粘着剤２に押し付けることにより、一対の表紙材７，８および背表紙材９をカバーシート１の所定位置に正確に位置決めして貼り付けることができる。つづいて、型枠２６を、これの一端部に設けた操作片３４を摘んでカバーシート１の上方に持ち上げて取り除くと、図１０に示すように、一対の表紙材７，８および背表紙材９が貼り付けられたカバーシート１が加工台２７上に残される。
【００２６】
この後は第１実施形態と同様の作業を行ってカバー１１を作る。すなわち、図１０において、カバーシート１を加工台２７から取り外したのち、図２（ｂ）および図３（ａ）に示した工程を経て、第１実施形態と同様のカバー１１が出来上がる。
【００２７】
この第２実施形態の製造方法では、裏当て材３を手で剥がす作業と、カバーシート１と型枠２６との相対位置を加工台２７によって決める作業と、表紙材７，８および背表紙材９を粘着剤２に押し付けて貼り付ける作業と、カバーシート１の周縁部を折り曲げて表紙材７，８および背表紙材９に貼り付ける作業とを行うことでカバー１１を作ることができる。すなわち、粘着材２を予めカバーシート１の裏面に付着しておけば、その後の工程では、繰り返し使用できる加工台２７と型枠２６とを一組用意しておくだけで、機械や特別な道具を一切用いることなく、簡単な手作業のみでカバー１１を製造できる。
【００２８】
したがって、第１実施形態の場合と同様に、内職仕事でも容易に作ることができるので、安価なカバー１１を得ることができる。特に、この製造方法では、第１実施形態のように、図１（ａ）の裏当て材３に切り目４Ａ〜４Ｆを形成する工程が不要となる分だけ製造コストを更に低減できるとともに、切り目４Ａ〜４Ｆを機械加工で形成する場合に生じ易いカバーシート１１の損傷がなくなる利点がある。
【００２９】
本発明は、前記実施形態で示した小型コンパクト２２やミニ絵本２３に限らす、他のブック型携帯品の製造にも適用することができる。さらに、本発明の要旨を逸脱しない範囲内で、種々の追加、変更または削除が可能であり、そのようなものも本発明の範囲内に含まれる。
【図面の簡単な説明】
【００３０】
【図１】（ａ），（ｂ）は本発明の第１実施形態に係るブック型携帯品の製造方法における裏当て材を剥がす作業工程および剥がしたあとの状態をそれぞれ示す斜視図である。
【図２】（ａ），（ｂ）は同上の実施形態における表紙材および背表紙材の貼り付け工程およびカバーの長辺側縁部の貼り付け作業工程をそれぞれ示す斜視図である。
【図３】（ａ），（ｂ）は同上の実施形態におけるカバーの短辺側縁部の貼り付け工程および製作完了後のカバーをそれぞれ示す斜視図である。開いて載置した状態および若干閉じて立てた状態をそれぞれ上方から見た。
【図４】同上の実施形態により製造したブック型携帯品である小型コンパクトを示す斜視図である。
【図５】同上の実施形態により製造したブック型携帯品であるミニ絵本を示す斜視図である。
【図６】本発明の第２実施形態に係るブック型携帯品の製造方法における裏当て材を剥がす作業工程を示す斜視図である。
【図７】同上の実施形態におけるカバーを加工台に位置決めする作業工程を示す斜視図である。
【図８】同上の実施形態における型枠とカバーとの相対位置を決める作業工程を示す斜視図である。
【図９】同上の実施形態における表紙材および背表紙材の貼り付け工程を示す斜視図である。
【図１０】同上の実施形態における型枠をカバーシートから取り除いたのちの状態を示す斜視図である。
【符号の説明】
【００３１】
１  カバー
１ａ，１ｂ  表紙取付け部分
１ｃ  背表紙取付け部分
２  粘着剤
３  裏当て材
３ａ〜３ｃ  貼り付け部分
４Ａ〜４Ｆ  切り目
７，８  表紙材
９  背表紙材
１８  ミラー保持体（内容物）
２１  収容体（内容物）
２２  小型コンパクト（ブック型携帯品）
２３  絵本内容物（内容物）
２４  ミニ絵本（ブック型携帯品）
２６  型枠
２７  加工台
２８，２９  規制突起
３１〜３３  貫通孔（貫通部）
【図１】
2010099908.tif 000003
【図２】
2010099908.tif 000004
【図３】
2010099908.tif 000005
【図４】
2010099908.tif 000006
【図５】
2010099908.tif 000007
【図６】
2010099908.tif 000008
【図７】
2010099908.tif 000009
【図８】
2010099908.tif 000010
【図９】
2010099908.tif 000011
【図１０】
2010099908.tif 000012